(57)【要約】【課題】袖キャビネットを支持脚とした机の安定性を更に向上できるとともに、当該袖キャビネットを有効利用できる机を提供せんとする。【解決手段】袖キャビネット１の奥行きを天板２の奥行きより広く設定し、当該袖キャビネット１の前面１０を天板の前縁位置２ａより前方に突出させた状態に取り付け、当該突出した袖キャビネット上部１１を物品載置部５とし、特に、前記突出した袖キャビネット上部に物品収納部５０を設けた。【選択図】　　　　　図１
2004121424.tif 000002
【特許請求の範囲】
【請求項１】
天板の下面側に袖キャビネットを固着して支持脚とした机であって、前記袖キャビネットの奥行きを天板奥行きよりも広く設定し、当該袖キャビネットの前面を天板の前縁位置より前方に突出させた状態に取り付け、当該突出した袖キャビネット上部を物品載置部としたことを特徴とする机。
【請求項２】
前記突出した袖キャビネット上部に物品収納部を設けてなる請求項１記載の机。
【請求項３】
前記物品収納部を、収納凹部とその開口を閉じる蓋とより構成してなる請求項２記載の机。
【請求項４】
前記蓋を、開放時に後方の天板下面側に収納される前後方向のスライド蓋で構成してなる請求項３記載の机。
【請求項５】
前記突出した袖キャビネット上部の後方となる袖キャビネット上面と前記天板下面との間に空間を設けてなる請求項１〜４の何れか１項に記載の机。
【請求項６】
前記空間を前記突出した袖キャビネット上部に連通させるとともに、前記物品収納部の後方に第２の物品収納部を延設したトレーを構成し、該トレーを前記空間に対して引出し可能に設けてなる請求項２〜５の何れか１項に記載の机。
【発明の詳細な説明】
【０００１】
【発明の属する技術分野】
本発明は、袖キャビネットを支持脚とした机に係わり、更に詳しくは前記袖キャビネットを有効利用することが可能な机に関する。
【０００２】
【従来の技術】
従来より、天板の下面側に袖キャビネットを固定し、該キャビネットを支持脚として機能させる机は各種提供されており（例えば、特許文献１参照）、一側端に前記袖キャビネットを固定し且つ他側端に脚体を固定してなる片袖タイプや、両側端に前記袖キャビネットを固定してなる両袖タイプが一般的である。
一方、これら袖キャビネットを天板に固定することなく、下面にキャスターを設けたワゴンとし、机の両脚板間の一方の脚板に接近させて配置したり、両脚板間の空間から引き出して外側に配置し、その上面を作業面として有効利用できる机も各種提供されており（例えば、特許文献２、３参照）、同じくキャスターを設けたワゴン式のキャビネットとして、上段の前面及び上面に連続して開口した開口部を閉鎖するためのシャッター扉を設けたものも知られている（例えば、特許文献４参照）。
【０００３】
ところで、上述の支持脚として機能する袖キャビネットは、何れもその前面が天板の前端面と略面一或いはやや後方に位置するように設定され、キャビネットとしての最低限の機能と優れた外観性が両立されていた。
しかしながら、近年のＩＴ（情報技術）の発展に伴うオフィスワークの変化により天板上にはパーソナルコンピュータや情報端末が設置されることが一般的になっており、従来にも増して机の安定性が要求されているが、このような机の安定性は支持脚として機能する前記袖キャビネットに大きく依存し、天板により当該袖キャビネットの奥行きが規制される従来の机では安定性の向上に限界があった。
また、前記の如く奥行きが規制される袖キャビネットでは、収納容積にも限界が生じており、更なる収納能力の向上が望まれていた。
【０００４】
尚、上述した各種ワゴン式のキャビネットによれば、配置アレンジ及び収納形態の幅を広げ、当該キャビネットを有効利用することは可能であるが、支持脚として机の安定性に寄与するものではなく、特に、上記引用文献４の如きシャッターは、支持脚として上面に天板が位置する前記従来の袖キャビネットには応用し得ないものであった。
【０００５】
【特許文献１】
特開平６−１１１号公報
【特許文献２】
実開昭６２−１４５５５４号公報
【特許文献３】
特開２００２−８５１６３号公報
【特許文献４】
意匠登録第１１５０８３６号公報
【０００６】
【発明が解決しようとする課題】
そこで、本発明が前述の状況に鑑み、解決しようとするところは、袖キャビネットを支持脚とした机の安定性を更に向上できるとともに、当該袖キャビネットを有効利用できる机を提供する点にある。
【０００７】
【課題を解決するための手段】
本発明は、前述の課題解決のために、天板の下面側に袖キャビネットを固着して支持脚とした机であって、前記袖キャビネットの奥行きを天板奥行きよりも広く設定し、当該袖キャビネットの前面を天板の前縁位置より前方に突出させた状態に取り付け、当該突出した袖キャビネット上部を物品載置部としたことを特徴とする机を構成した。
【０００８】
このような机にあっては、広い奥行きを有した前記袖キャビネットにより、パーソナルコンピュータや情報端末を設置した天板が安定支持されるとともに、横幅がとれない場合であっても広い奥行きにより収納容積を十分確保でき、突出した袖キャビネット上部は前記物品載置部として有効に利用される。
【０００９】
ここで、前記突出した袖キャビネット上部に物品収納部を設けたものが好ましく、更に、前記物品収納部を収納凹部とその開口を閉じる蓋とより構成したものが好ましい。前記蓋は、好ましくは開放時に後方の天板下面側に収納される前後方向のスライド蓋で構成される。
【００１０】
また、前記突出した袖キャビネット上部の後方となる袖キャビネット上面と前記天板下面との間に空間を設けたものが好ましい。このような空間は、別途書類等を載置できる収納スペースとして有効利用できる。
【００１１】
更に、前記空間を前記突出した袖キャビネット上部に連通させるとともに、前記物品収納部の後方に第２の物品収納部を延設したトレーを構成し、該トレーを前記空間に対して引出し可能に設けたものが好ましい。
【００１２】
【発明の実施の形態】
次に、本発明の実施形態を添付図面に基づき詳細に説明する。
【００１３】
図１は、本発明に係る机の外観構成を示す斜視図であり、図１〜１０は第１実施形態、図１１は第２実施形態を示し、図中符号１は袖キャビネット、２は天板、３は脚体、４は幕板をそれぞれ示している。
【００１４】
本発明の机Ａは、図１に示すように、天板２の一側端の下面側に袖キャビネット１が固着されており、図示したものは他側端に脚体３が固定された片袖タイプであるが、両側端に袖キャビネットを設けた両袖タイプやその他のタイプであってもよい。前記袖キャビネット１は、図２及び図３に示すように、その奥行き寸法Ｗ１が、天板２の奥行き寸法Ｗ２よりも広く設定されており、前面１０が天板２の前縁２ａの位置よりも前方に突出した状態に取り付けられ天板の支持脚として機能する。本発明は、このような奥行きの広い袖キャビネットを支持脚として取付けるとともに、前方に突出した当該袖キャビネット上部１１を物品載置部５として利用可能に構成したことを特徴としている。
尚、袖キャビネット１の収納形式は引出し型を図示しているが、その他扉型や引き戸型、オープン棚型、シャッター型など従来からの袖キャビネットと同様、種々の収納形式を採用できる。
【００１５】
先ず、図１〜１０に基づき本発明の第１実施形態を説明する。
【００１６】
袖キャビネット１の上面１２には、図４に示すように、天板２を取付けるための連結フレーム６０が外側端縁１２ａに沿って固定されており、該連結フレーム６０の前後に設けた螺孔６１、６１に、前記天板２の対応する縦孔２１、２１に貫通させた取付ネジを螺合することにより、当該連結フレーム６０を介して袖キャビネット１が天板２の下面２２側に固着される。
【００１７】
また、袖キャビネット１と脚体３の間に横架されて前記天板２の下面２２を支持する支持フレーム６２の一端側が、当該袖キャビネット上面１２の後方寄りに固定されており、同じく袖キャビネット１と脚体３の間に横架されて背面側に幕板４を配する幕板取付フレーム６３の一端側が、当該袖キャビネット上面１２の後側端縁１２ｂに沿って固定されている。幕板取付フレーム６３には上方から閉塞カバー６４が装着され、天板２の後端に位置する当該閉塞カバー６４の内部には配線を通す配線空間が形成されている。
【００１８】
以上の各フレーム６０、６２、６３により机Ａを構成する袖キャビネット１、天板２、脚体３、幕板４が一体的に連結されており、前記キャビネット上面１２と前記天板下面２２との間には、連結フレーム６０、支持フレーム６２、及び後述の物品収納部５０により囲まれ、机Ａの足入れ空間側に開放された余剰空間Ｓ１が形成されている。当該余剰空間Ｓ１は、書類等の載置部として有効利用できるのであり、本例では、前記開放された足入れ空間側より前記書類等が出し入れされるが、例えば連結フレーム６０の代わりに前後２箇所に設けたスペーサ部材を介して天板２をキャビネット上面に連結したものでは、同じく余剰空間を維持しつつ当該空間が机外方に開放され、当該開放部位より書類等を出し入れすることが可能となる。
【００１９】
前記袖キャビネット１の上面１２に固定された天板２より前方に突出することとなる当該キャビネット突出部分の上部１１には、上記物品載置部５として、図５に示すように小物等の各種物品を収納するための収納空間Ｓ２を内部に有した収納凹部５１と、その開口部５１ａを閉塞する蓋５２とよりなる物品収納部５０が設けられている。
【００２０】
前記収納凹部５１は、キャビネット上面１２に直接固定されるトレー本体５３と、その左右に配されるサイドカバー５４とより構成され、各サイドカバー５４の前記開口部５１ａとなる前後方向に沿った端縁部には、スライド蓋５２の両側端に設けたスライダー５７を受け入れ摺動自在に保持する案内溝５５が内方に開口して形成されている。
【００２１】
スライド蓋５２は、図６に示すように、板状の蓋本体５６とその左右に設けられる各スライダー５７とより構成されている。前記スライダー５７は、断面視略コ字形状の部材より構成され、内方に突出した凸部５７ｂを前記蓋本体５６裏面側の凹部５６ｃに嵌合することで当該蓋本体５６の側端縁５６ａに沿って取付けられている。そして、各スライダー５７を対応する上記サイドカバーの各案内溝５５に係入することにより、当該スライド蓋５２の表面がサイドカバー５４の上面と略面一となる状態に前記収納凹部の開口部５１ａに組み付けられている。
【００２２】
また、前記案内溝５５の収納凹部奥側の適宜な位置には、前端に当該溝方向に対して直角な当接面を有する平面視略三角形状のストッパー爪５５ｂが突設されており、該ストッパー爪５５ｂは前記案内溝５５に係入したスライダー５７の前記コ字形状の溝部５７ａに案内され、該スライダー前端の閉塞部５７ｃに当接することで当該スライド蓋５２の奥側への移動を阻止するストッパーとして機能している。尚、前記ストッパー爪５５ｂの前端部を除く周縁にスリットを設けておけば、前記スライダーの閉塞部５７ｃが衝止される際にスナップがきくことになり好ましい。
【００２３】
ここで、スライド蓋５２は、図７（ａ）、（ｂ）に示すように、前記スライダー５７の内側に長手方向に延びる突条５８を設け、該突条の上面５８ａを両面テープ５９を介して前記蓋本体５６の裏面側に固定してなるものも耐衝撃性の点で好ましい実施例である。
【００２４】
尚、収納凹部５１の開口部を閉塞する蓋５２は、上記スライド蓋以外に他の構造のスライド蓋とすることもでき、スライダー５７の形状も前記断面視略コ字形状に特に限定はされず、板状の蓋本体の左右側端部をスライダーとして案内溝に係入してなるものであってもよい。また、スライド蓋以外の他の開閉方式の蓋であってもよく、更には、蓋５２を省略し、前記収納凹部５１の開口部を開放したものとすることも可能である。
【００２５】
本例では、前記トレー本体５３と蓋本体５６がアルミニウムの押出成形等にて作製され、前記サイドカバー５４とスライダー５７がポリエチレンテレフタレート（ＰＥＴ）やポリブチレンテレフタレート（ＰＢＴ）等の合成樹脂にて成形されているが、その他の材料から構成することも勿論可能である。
【００２６】
図８（ａ）、（ｂ）は、物品収納部５０の他の例を示し、前後方向に沿った波形の凹凸表面７２を底部上面７０ａに形成してなる波形トレー７０が、天板２の前方のキャビネット上面１２に固定され、前記底部上面７０ａには、一又は二以上の小物ケース７１が載置されている。
【００２７】
波形トレー７０は、アルミニウムの押出成形や合成樹脂の一体成形等により作製され、前端部及び後端部には上方に起立する壁面が構成され、小物ケース７１、・・・を設けることなく、当該波形トレー７０のみでも物品を収納する収納凹部として機能する。
【００２８】
小物ケース７１は、小物やペットボトル、飲料カップ等を収納できる収納凹部を有しており、その開口部に蓋７３を設けることも好ましい。また、小物ケース７１の底面には、前記凹凸表面７２に対応した波形の凹凸部７４が形成されており、該凹凸部７４を前記凹凸表面７２に嵌合することにより前記波形トレー７０の内部に装着され、当該底部上面７０ａに沿って左右にスライド移動させることで使用者の好みの位置にセッティング可能に構成されている。
【００２９】
図示したように、これら小物ケース７１、７１を互いに離して位置させると、その間には波形トレー７０と小物ケース７１、７１で挟まれた収納凹部が別途形成され、当該凹部に他の小物等を収納することができる。例えば図８（ｂ）に示す如く、小物ケース７１、７１を互いに左右側方に位置させると、その間に横長な収納凹部が形成され、比較的長尺な小物、例えば筆記具やハサミ、ナイフ等も収納できる。波形トレー７０に載置された筆記具等の長尺な小物は、波形の凹凸表面７２により安定して保持されることとなる。
尚、前記波形トレー７０の左右側端部に側壁を設けたものや、同じく左右側端部に小物ケース７１の移動を規制する係止用凸部を設けることも好ましい実施例である。
【００３０】
図９（ａ）、（ｂ）は、物品収納部５０の更に他の例を示し、前端部の所定高さ位置に横杆７６を設けた化粧基板７５が、天板２の前方のキャビネット上面１２に沿って取付けられ、該化粧基板７５の上面に前記横杆７６によって係止される一又は二以上の小物ケース７１が載置されている。
【００３１】
前記化粧基板７５は、後端を上方に起立させて天板２の下面に当接する閉塞壁７７を構成してなる断面視略Ｌ字形の部材からなり、前縁近傍には、前記横杆７６を構成するコ字状の棒状部材が左右側端にわたって上方に突設されている。
この化粧基板７５は、それのみで物品載置台として利用でき、この場合、前記横杆７６は載置された物品の転落防止柵として機能するとともに、外観上の仕上がり感を与え、見映えを向上させることができる。
【００３２】
前記小物ケース７１は、小物を収納できる収納凹部を有し、その前端面には、前記横杆７６に係止される鉤状のフック７８が突設され、該フック７８を介し、横杆７６に沿って左右にスライド移動可能に保持されている。また、図９（ｂ）に示すように、底部を上にした上下逆さの小物ケース７１に同じくフック７８を突設し、当該逆さ状態における前記底部を載置台として利用するとともに、横杆７６を中心に当該小物ケース７１を１８０度回転させ、フック７８を介して前記横杆７６に掛止させることにより、図中破線で示すように、当該小物ケース７１をキャビネット上部１１から前方向に突設し、且つ左右にスライド移動可能に構成したものも好ましい実施例である。
尚、横杆７６を構成する棒状部材をキャビネット上面の前端部に直接取り付け、化粧基板７５を省略することも可能である。
【００３３】
図１０は、物品収納部５０の更に他の例を示し、天板２の前方のキャビネット上面１２には、前端部の図示しない支持軸を中心にトレー７９を水平にスライド回動させ、該トレー７９を前方に突出させる回動式（ウィング式）の引出しが構成されている。具体的には、扇形トレー７９の軸心部が前記支持軸により箱型の収納容器８０の前端部に枢支され、該収納容器８０から前方に引出し可能に構成されており、該収納容器８０の上面には、内部空間に連通した開口部８０ａをカップ保持部としてなるカップホルダー８１が構成されている。
本例では当該扇形トレー７９を備えた収納容器８０が左右に一対設けられており、例えば図１０（ｂ）に示すように、収納容器８０、８０の間に別途小物ケース７１を配置させることも好ましい。
【００３４】
次に、図１１に基づき本発明の第２実施形態を説明する。
【００３５】
本実施形態は、前記物品収納部５０の後方に第２の物品収納部９０を延設してなるトレー９を構成し、該トレー９が前記余剰空間Ｓ１に対して引出し可能に挿着されている。前記余剰空間Ｓ１は袖キャビネット上部１１に連通しており、前記トレー９の収納状態においては、後方の第２の物品収納部９０が余剰空間Ｓ１に完全収納され、前方の物品収納部５０は、上述の第１実施形態と同様、天板２の前方に突出した袖キャビネット上部１１に位置することとなる。
【００３６】
前方の物品収納部５０は、収納凹部５１とその開口部を閉塞する蓋５２とより構成されており、閉じた状態の蓋５２の前端縁が臨む前記開口部の前縁位置には、当該蓋５２を上方に回動させる際、指を入れて蓋５２の前端縁を支持するための凹溝８２が前記前縁に沿って設けられている。
【００３７】
前方の物品収納部５０には、図１１（ｂ）に示すように、小物ケース７１を隣接配置することもでき、第１実施形態の場合と同様、その他の様々な収納形態を採用できる。また、第２の物品収納部９０は、キャビネット上面の広い奥行き寸法を有する前記余剰空間Ｓ１に収納可能な同じく広い奥行きを有し、当該第２の物品収納部９０には比較的長尺な物品を収納できることになるが、当該物品収納部９０の内部空間を前方の物品収納部５０の内部空間に連通させることにより、更に長尺な物品も収納可能となる。
【００３８】
以上の各実施形態では、天板２の前方に突出した袖キャビネット上部１１に物品収納部５０を設けたものを例示したが、本発明はこれに限定されず、例えば前記突出した上部１１に水平な載置面を形成し、マウス等の操作台として利用可能に構成することや、前記突出した上部１１に天板面と略同一高さの載置面を有する物品載置台を設け、ノートパソコンやキーボード等の載置台として利用可能に構成することも好ましい実施例である。
【００３９】
【発明の効果】
以上のように、本発明の机によれば、袖キャビネットの奥行きを天板奥行きよりも広く設定し、当該袖キャビネットの前面を天板の前縁位置より前方に突出させた状態に取り付け、当該突出した袖キャビネット上部を物品載置部としたので、パーソナルコンピュータや情報端末等を設置した天板をも安定支持できる。
【００４０】
また、横幅がとれない場合、例えば間口幅の狭い机では約４００ｍｍの幅を有する通常の袖キャビネットを用いると下肢領域が狭くなるため袖幅を狭くする必要があるが、そのような場合であっても広い奥行きにより、Ａ４等のフォルダを奥行き２列にファイルすることも可能となり、収納容積を十分確保することが可能となる。
【００４１】
また、突出した袖キャビネット上部は前記物品載置部として有効に利用でき、特に当該上部に物品収納部を設ければ小物やペン等が収納可能となる。
前記物品収納部を、収納凹部とその開口を閉じる蓋とより構成したものでは、前記蓋により埃を防止できるとともに外観上の見映えも向上させることができ、前記蓋を、開放時に後方の天板下面側に収納される前後方向のスライド蓋で構成すれば、開放時に蓋が邪魔にならず使い勝手が向上する。
【００４２】
また、前記突出した袖キャビネット上部の後方となる袖キャビネット上面と前記天板下面との間に空間を設けたものでは、当該空間を別途、書類等を載置できる収納スペースとして有効利用でき、前記空間を前記突出した袖キャビネット上部に連通させるとともに、前記物品収納部の後方に第２の物品収納部を延設したトレーを構成し、該トレーを前記空間に対して引出し可能に設ければ、長尺な物品を収納でき利便性が向上する。
【図面の簡単な説明】
【図１】本発明の第１実施形態に係る机を示す斜視図。
【図２】同じく机の平面図。
【図３】同じく机の側面図。
【図４】袖キャビネット上面における天板の取付構造を示す分解斜視図。
【図５】収納凹部と蓋とよりなる物品収納部の要部を示す部分断面図。
【図６】スライド蓋の要部を示す斜視図。
【図７】（ａ）はスライダーの内側に突条を設けた変形例を示す斜視図、（ｂ）はそれを両面テープにより蓋本体裏面に取付けた要部を示す部分断面図。
【図８】（ａ）及び（ｂ）は、物品収納部の他の例を示す斜視図。
【図９】（ａ）及び（ｂ）は、物品収納部の更に他の例を示す斜視図。
【図１０】（ａ）及び（ｂ）は、物品収納部の更に他の例を示す斜視図。
【図１１】（ａ）及び（ｂ）は、本発明の第２実施形態を示す説明図。
【符号の説明】
Ａ　机　　　　　　　　　Ｓ１、Ｓ２　空間
Ｗ１、Ｗ２　　　　　　　１　袖キャビネット
２　天板　　　　　　　　２ａ　前縁
３　脚体　　　　　　　　４　幕板
５　物品載置部　　　　　９　トレー
１０　前面　　　　　　　１１　上部
１２　上面　　　　　　　１２ａ　端縁
１２ｂ　端縁　　　　　　２１　縦孔
２２　下面　　　　　　　５０　物品収納部
５１　収納凹部　　　　　５１ａ　開口部
５２　蓋　　　　　　　　５３　トレー本体
５４　サイドカバー　　　５５　案内溝
５５ｂ　ストッパー爪　　５６　蓋本体
５６ａ　端縁　　　　　　５６ｃ　凹部
５７　スライダー　　　　５７ａ　溝部
５７ｂ　凸部　　　　　　５７ｃ　閉塞部
５８　突条　　　　　　　５８ａ　上面
５９　両面テープ　　　　６０　連結フレーム
６１　螺孔　　　　　　　６２　支持フレーム
６３　取付フレーム　　　６４　閉塞カバー
７０　波形トレー　　　　７０ａ　底部上面
７１　小物ケース　　　　７２　凹凸表面
７３　蓋　　　　　　　　７４　凹凸部
７５　化粧基板　　　　　７６　横杆
７７　閉塞壁　　　　　　７８　フック
７９　トレー　　　　　　８０　収納容器
８０ａ　開口部　　　　　８１　カップホルダー
８２　凹溝　　　　　　　９０　物品収納部
【図１】
2004121424.tif 000003
【図２】
2004121424.tif 000004
【図３】
2004121424.tif 000005
【図４】
2004121424.tif 000006
【図５】
2004121424.tif 000007
【図６】
2004121424.tif 000008
【図７】
2004121424.tif 000009
【図８】
2004121424.tif 000010
【図９】
2004121424.tif 000011
【図１０】
2004121424.tif 000012
【図１１】
2004121424.tif 000013